(57)【要約】【課題】  スペースダイバシティ用の受信回路及びアンテナを追加した場合のスイッチ手段には配慮されておらず、アンテナを前記スペースダイバシティ用の受信回路に最適に接続できないという問題があった。【解決手段】  無線通信を行なう第１のアンテナと、前記第１のアンテナを介して基地局との間で信号の通信を行なう送受信回路と、前記第１のアンテナを介してＧＰＳ衛星からの信号を受信するＧＰＳ受信回路とを備えた携帯端末において、  基地局からの信号を受信する受信回路と、  前記第１のアンテナと異なる第２のアンテナと、  前記第１のアンテナ、前記第２のアンテナ、前記送受信回路、前記ＧＰＳ受信回路及び前記受信回路との接続を動作モードに対応して切り換えるスイッチ手段と、を設けたことを特徴とする携帯端末。【選択図】  図２
2007089226.tif 000002
【特許請求の範囲】
【請求項１】
無線通信を行なう第１のアンテナと、前記第１のアンテナを介して基地局との間で信号の通信を行なう送受信回路と、前記第１のアンテナを介してＧＰＳ衛星からの信号を受信するＧＰＳ受信回路とを備えた携帯端末において、
基地局からの信号を受信する受信回路と、
前記第１のアンテナと異なる第２のアンテナと、
前記第１のアンテナ、前記第２のアンテナ、前記送受信回路、前記ＧＰＳ受信回路及び前記受信回路との接続を動作モードに対応して切り換えるスイッチ手段と、を設けたことを特徴とする携帯端末。
【請求項２】
請求項１記載の携帯端末において、
モニタ用外部端子と、前記モニタ用外部端子にコネクタが接続されたことを検出する接続検出手段とを設け、
前記接続接続手段によりコネクタが接続されたことを検出かつ所定の操作により外部端子モードとした場合、前記スイッチ手段により前記モニタ用外部端子、前記送受信回路、前記ＧＰＳ受信回路及び前記受信回路との接続を動作モードに対応して切り換えることを特徴とする携帯端末。
【請求項３】
請求項１又は２記載の携帯端末において、
前記受信回路の電源をＯＦＦするための電源制御手段を設け、
動作モードが音声通信の場合は前記電源制御手段により前記受信回路の電源をＯＦＦすることを特徴とする携帯端末。
【発明の詳細な説明】
【技術分野】
【０００１】
本発明は、携帯端末に係わり、特にアンテナと送受信回路及び各受信回路との間の接続を切り換える技術に関する。
【背景技術】
【０００２】
現在の携帯電話では送受信回路、ＧＰＳ受信回路及びアンテナ、モニタ用外部端子との間をスイッチ手段により切り換えている。このようなスイッチ手段の従来技術では、ＯＮ／ＯＦＦのスイッチを４個使用して、送受信時にはアンテナと送受信回路とを接続し、ＧＰＳ受信時にはアンテナとＧＰＳ受信回路とを接続し、外部アンテナ接続または各送・受信回路の評価時にはモニタ用外部端子と各送・受信回路とを接続するようなスイッチ構成になっていた。（例えば、非特許文献１参照）
【０００３】
【非特許文献１】“ＧａＡｓ  ＭＭＩＣ応用回路例” ｃｄｍａ  ｏｎｅ、[ｏｎｌｉｎｅ]、掲載年月日、新日本無線株式会社、[平成１５年９月９日検索]、インターネット＜ＵＲＬ：http://www.njr.co.jp/add/j/08_09.html、http://njr.co.jp./j08/sgi_02.htm＞
【発明の開示】
【発明が解決しようとする課題】
【０００４】
最近では、携帯端末にカメラ機能を搭載して、撮影した画像データを友人等に送信して一緒に楽しむという使われ方が多くなっている。画像データはデータ量が多く、送受信には時間がかかってしまう。このため、送受信の伝送レートを大きくすることが要望されている。
【０００５】
また、周囲の状況により受信電波の状況が悪くなる場合にも受信性能改善、安定受信を図るため、アンテナを２本設けて受信性能を改善することが行なわれている。この技術の一つであるスペースダイバシティ方式では、２本のアンテナと２個の受信回路を設け、受信信号を検波後合成して安定受信を図っている。さらにＣＤＭＡ方式の場合では検波後に信号を合成することにより伝送レートを増大できるという効果もある。
【０００６】
上記したように伝送レートを大きくとり、電波状況に強い安定受信を図るためには、送受信回路とＧＰＳ受信回路と、スペースダイバシティ用の受信回路と２本のアンテナ及びモニタ用外部端子とを接続するためのスイッチ手段が必要である。
【０００７】
しかしながら、上記非特許文献１記載の従来技術では、前記スペースダイバシティ用の受信回路及びアンテナを追加した場合のスイッチ手段には配慮されておらず、アンテナを前記スペースダイバシティ用の受信回路に最適に接続できないという問題があった。
【０００８】
さらに、一つのモニタ用外部端子と送受信回路とＧＰＳ受信回路と前記スペースダイバシティ用の受信回路との間を最適に接続できないという問題もあった。
【０００９】
また、携帯電話はバッテリによる駆動であるため、消費電力を減らすことは重要である。ここで、データ通信の場合は情報量が多いので伝送レートを大きくするため２個の受信回路を常に使用することが必要であるが、音声による通話時には情報量は少ないので１個の受信回路で対応が可能である。しかしながら、上記非特許文献１記載の従来技術では片方の受信回路の電源を制御することには配慮されていないので省電力を図れず、使用できる時間が短くなってしまうという問題があった。
【００１０】
本発明の目的は、ＧＰＳ対応の携帯端末において、メインアンテナとモニタ用外部端子と送受信回路とＧＰＳ受信回路とスペースダイバシティ用に新たに追加した受信回路及びアンテナとの間の接続を動作モードにより適切に切り換えることのできる携帯端末を提供することにある。
【課題を解決するための手段】
【００１１】
上記課題を解決するために、本発明は、無線通信を行なう第１のアンテナと、前記第１のアンテナを介して基地局との間で信号の通信を行なう送受信回路と、前記第１のアンテナを介してＧＰＳ衛星からの信号を受信するＧＰＳ受信回路とを備えた携帯端末において、基地局からの信号を受信する受信回路と、前記第１のアンテナと異なる第２のアンテナと、前記第１のアンテナ、前記第２のアンテナ、前記送受信回路、前記ＧＰＳ受信回路及び前記受信回路との接続を動作モードに対応して切り換えるスイッチ手段と、を設けたことを特徴とする。
【００１２】
これにより、２本のアンテナと送受信回路とＧＰＳ受信回路とスペースダイバシティ用の受信回路との間を動作モードに対応して最適に接続できる。
【００１３】
また、前記送受信回路、モニタ用外部端子と、前記モニタ用外部端子にコネクタが接続されたことを検出する接続検出手段とを設け、前記接続接続手段によりコネクタが接続されたことを検出かつ所定の操作により外部端子モードとした場合、前記スイッチ手段により前記モニタ用外部端子と、前記送受信回路、前記ＧＰＳ受信回路及び前記受信回路との接続を動作モードに対応して切り換えることを特徴とする。
【００１４】
これにより、一つのモニタ用外部端子と送受信回路とＧＰＳ受信回路と前記スペースダイバシティ用の受信回路との間を最適に接続することができる。
【００１５】
また、前記受信回路の電源をＯＦＦするための電源制御手段を設け、動作モードが音声通信の場合は前記電源制御手段により前記受信回路の電源をＯＦＦすることを特徴とする。
【００１６】
これにより、情報量の少ない音声通話時にはスペースダイバシティ用の受信回路の電源をＯＦＦにすることにより省電力化を図ることができる。
【００１７】
本発明により、ＧＰＳ対応の携帯端末において、メインアンテナとモニタ用外部端子と送受信回路とＧＰＳ受信回路とスペースダイバシティ用に新たに追加した受信回路及びアンテナとの間の接続を切り換える切り換え手段を設け、動作モードにより切り換えることにより、接続を最適化することができる。さらには、音声通話モード時には受信回路の電源をＯＦＦすることにより、省電力を図ることができる。
【発明の効果】
【００１８】
本発明によれば、接続を最適化した携帯端末を提供することができる。
【発明を実施するための最良の形態】
【００１９】
以下、本発明の実施形態を図１から図７を用いて説明する。なお、以下の実施例では、ＣＤＭＡ方式の携帯電話を例として説明するが、これに限らない。通信方式はＣＤＭＡ方式以外のＴＤＭＡ方式などでも構わず、携帯電話以外でも通話可能である携帯端末であればよい。ただし、以下の実施例は、比較的データ容量が小さい音声通話モードと、データ容量が大きくなる可能性があるデータ通信モードの両方を行う携帯端末に特に適している。
【実施例１】
【００２０】
本発明による第１の実施形態を図１から図４を用いて説明する。
【００２１】
まず、本発明によるＣＤＭＡ方式携帯電話の形態を図１を用いて説明する。図１（ａ）は、本発明によるＣＤＭＡ方式携帯電話（以下、携帯電話と称す）を正面から見た外観図、図１（ｂ）は本発明による携帯電話を横から見た外観図の一実施例を示す。液晶パネルで構成された表示部１のある筐体２と、操作釦３のある筐体４とが、ヒンジ部５により開閉可能となっている。筐体４のヒンジ部５側にはＣＤＭＡ方式の信号の送受信及びＧＰＳ信号の受信のためのメインアンテナであるアンテナＡ６が伸縮自在に配置され、筐体４の内部にはＣＤＭＡ方式の信号の受信及びＧＰＳ信号の受信のためのサブアンテナであるアンテナＢ７が配置され、さらに筐体４の側面には外部アンテナを接続したり、内部回路である各送・受信回路の性能を評価するためのモニタ用外部端子８が配置されている。ユーザーは通常図１に示す状態で、操作釦３を使用してデータの送受信をしたり、通話を行なう。また、モニタ用外部端子８に外部アンテナを接続し送受信したり、内部回路である各送・受信回路の性能を評価する場合はモニタ用外部端子８からそれぞれの無線通信で使用する信号を送信または受信して、性能を評価することができるようになっている。
【００２２】
次に、本発明による携帯電話の構成及び信号の流れを図２を用いて説明する。図２は、本発明による携帯電話の受信ブロックの構成図の一実施例を示す。６はＣＤＭＡ方式の信号の送受信及びＧＰＳ信号の受信のためのメインアンテナであるアンテナＡ、７はＣＤＭＡ方式の信号の受信及びＧＰＳ信号の受信のためのサブアンテナであるアンテナＢ、８は外部アンテナを接続したり、ＣＤＭＡ方式の送受信回路、ＧＰＳ受信回路及びスペースダイバシティ用の受信回路の性能を評価するためのモニタ用外部端子、９はアンテナＡ６、Ｂ７及びモニタ用外部端子８と後述するＧＰＳ受信回路、送受信回路及び受信回路Ｂとの間の接続を動作モードに対応して切り換えるためのスイッチ回路、１０はＧＰＳ衛星からの信号を受信するためのＧＰＳ受信回路、１１はＣＤＭＡ方式の信号を送受信するための送受信回路、１２はスペースダイバシティ用の受信回路Ｂ、１３は受信回路Ｂ１２の電源を制御するための電源制御手段、１４はモニタ用外部端子８にコネクタが接続されたことを検出するための接続検出手段である。また、送受信回路１１は、アンテナＡ６からの送受信信号を受信回路Ａ１６に導くとともに送信回路１７からの信号をアンテナＡ６へ導くための分波器１５からなる。
【００２３】
尚、スイッチ回路９、ＧＰＳ受信回路１０、送受信回路１１、受信回路Ｂ１２、電源制御手段１３、接続検出手段１４の制御、動作モードの判断及び本携帯電話機全体を制御するための制御手段（図示せず）がある。
【００２４】
ここで、動作モードによる接続及び信号の流れを説明する。
【００２５】
まず、通話釦を押す等の所定の操作によりＣＤＭＡ方式による音声、データ通信モードとした時は、アンテナＡ６は送受信回路１１と接続され、アンテナＡ６を使用して送信回路１７からの送信信号を送信するとともにＣＤＭＡ方式の受信信号を受信回路Ａ１６で受信している。また、同時にアンテナＢ７は受信回路Ｂ１２と接続され、アンテナＢ７を使用してＣＤＭＡ方式の受信信号を受信回路Ｂ１２で受信し、受信回路Ａ１６の信号とを検波後合成し安定受信及び伝送レートの増大を図っている。ここで、音声通話時には電源制御手段１３により受信回路Ｂ１２の電源をＯＦＦすることにより、省電力を図るようになっている。
【００２６】
次に、位置検索をするための操作により位置情報取得のためＧＰＳ衛星からのＧＰＳ信号を受信するためのＧＰＳ受信モードとした時は、アンテナＡ６はＧＰＳ受信回路１０と接続され、アンテナＢ７を使用してＧＰＳ信号を受信している。ここで、本実施例では、アンテナＢ７をＧＰＳ受信回路１０と接続させることも可能で、アンテナＡ６及びアンテナＢ７の電波強度を検出する手段を設け（図示せず）、電波強度によりアンテナＡ６とアンテナＢ７とを切り換えて、安定受信動作を図ることができるようになっている。尚ここで、アンテナＢ７をＧＰＳ受信周波数帯域を確保せずＧＰＳ信号の受信をアンテナＡ６からの受信のみで行なった場合にはアンテナＢ７を小型化することが可能で、本携帯電話を小型化することが可能となる。
【００２７】
次に、モニタ用外部端子８に外部アンテナを接続し送受信する場合について説明する。この外部アンテナを使用する状態にするには、モニタ用外部端子８に外部アンテナのつながったコネクタを接続すると外部端子モードとなる。ここで、所定の操作でＣＤＭＡ方式による音声、データ通信モードとした場合は、モニタ用外部端子８は送受信回路１１と接続され、外部アンテナをメインアンテナとして使用して送信回路１７からの信号を送信するとともにＣＤＭＡ方式の受信信号を受信回路Ａ１６で受信すると同時に、アンテナＢ７は受信回路Ｂ１２と接続され、アンテナＢ７を使用してＣＤＭＡ方式の信号を受信回路Ｂ１２で受信し、受信回路Ａ１６の信号とを検波後合成し安定受信及び伝送レートの増大を図っている。また、所定の操作でＧＰＳ衛星からのＧＰＳ信号を受信するためのＧＰＳ受信モードとした場合には、モニタ用外部端子８はＧＰＳ受信回路１０と接続され、外部アンテナをメインアンテナとして使用してＧＰＳ信号を受信している。
【００２８】
次に、モニタ用外部端子８を使用した内部回路の評価時について説明する。この評価する状態にする手順は、まずユーザーがコネクタをモニタ用外部端子８に接続した後、メニューから外部端子モードさらに評価回路を選択することにより、内部回路である各送・受信回路の評価モードとなる。ＧＰＳ受信回路１０の評価時は、モニタ用外部端子８から入力したＧＰＳ信号をＧＰＳ受信回路１０で受信して受信結果を得ることにより性能を評価する。送受信回路１１の評価時は、モニタ用外部端子８から入力したＣＤＭＡ方式の信号を受信回路Ａ１６に受信させ、また送信回路１７からの送信信号をモニタ用外部端子８から取り出し、それぞれの結果を得ることにより性能を評価する。受信回路Ｂ１２の評価時は、モニタ用外部端子８から入力したＣＤＭＡ方式の信号を受信回路Ｂ１２で受信して受信結果を得ることにより性能を評価する。
【００２９】
次に、本発明による第１の実施形態であるスイッチ回路９における切り換えスイッチの詳細及び動作モードに対する切り換え制御について図３、図４を用いて詳細に説明する。図３は本発明による第１の実施形態であるスイッチ回路９の切り替えスイッチの詳細回路図、図４は本発明による第１の実施形態である動作モードによる切り換えスイッチ制御の状態を示すスイッチ制御表の一実施例を示す。切り換えは８個のスイッチを４本の制御ラインをＳＷ１、ＳＷ２とＳＷ３、ＳＷ４とが逆の関係となるようにしさらにＳＷ５、ＳＷ６とＳＷ７、ＳＷ８も逆の関係となるようにしているので実質２ｂｉｔで制御できるよう共用化をはかり、さらに接続有時と無時の共通化をも図りスイッチＯＮ／ＯＦＦの状態としては４種類で実現可能としている。この構成は、汎用のＤＰＤＴ（Ｄｕａｌ  Ｐｏｌｅ  Ｄｏｕｂｌｅ  Ｔｈｒｏｗ）スイッチを２個使うことで実現することができるため、２ｂｉｔでの制御が可能で、省スペース・制御処理負荷低減が可能である。
まず、接続検出手段１４がコネクタの接続を検出していない通常の使用状態から説明する。ＧＰＳ受信モードの場合、ＧＰＳ衛星からのＧＰＳ受信（アンテナＡ）時は、アンテナスイッチＡ１８のＳＷ３とＳＷ４がＯＮしているのでアンテナＡ６で受信されたＧＰＳ信号はＳＷ３を介してＧＰＳ受信回路１０へ供給される。ＧＰＳ受信（アンテナＢ）時は、アンテナスイッチＡ１８のＳＷ１とＳＷ２及びアンテナスイッチＢ１９のＳＷ７とＳＷ８がＯＮしているのでアンテナＢ７で受信されたＧＰＳ信号はＳＷ８、ＳＷ２を介してＧＰＳ受信回路１０へ供給される。音声、データ通信時は、アンテナスイッチＡ１８のＳＷ１とＳＷ２がＯＮしているのでアンテナＡ６で受信されたＣＤＭＡ方式の信号はＳＷ１を介して送受信回路１１へ供給されると同時にアンテナスイッチＢ１９のＳＷ５とＳＷ６がＯＮしているのでアンテナＢ７で受信されたＣＤＭＡ方式の信号はＳＷ６を介して受信回路Ｂ１２へ供給される。ここで、音声通話時には電源制御手段１３により受信回路Ｂ１２の電源をＯＦＦすることにより、省電力を図るようになっている。
【００３０】
次に、接続検出手段１４がコネクタの接続を検出している外部接続モードの状態を説明する。まず、外部アンテナを接続した時の送受信について説明する。ＣＤＭＡ方式による音声、データ通信モードとした場合は、送受信回路モニタの動作モードとなり、アンテナスイッチＡ１８のＳＷ３とＳＷ４及びアンテナスイッチＢ１９のＳＷ５とＳＷ６がＯＮしているのでモニタ用外部端子８から入力したＣＤＭＡ方式の信号はＳＷ５及びＳＷ４を介して受信回路Ａ１６に供給されるとともに送信回路１７からの送信信号はＳＷ４及びＳＷ５を介してモニタ用外部端子８に供給されと同時に、アンテナＢ７から入力したＣＤＭＡ方式の信号はＳＷ６を介して受信回路Ｂ１２に供給される。また、ＧＰＳ受信モードとした場合には、ＧＰＳ受信回路モニタの動作モードとなり、アンテナスイッチＡ１８のＳＷ１とＳＷ２及びアンテナスイッチＢ１９のＳＷ５とＳＷ６がＯＮしているのでモニタ用外部端子８から入力されたＧＰＳ信号はＳＷ５及びＳＷ２を介してＧＰＳ受信回路１０へ供給される。
【００３１】
次に、内部回路である送・受信回路の評価時について説明する。受信回路Ｂ１２モニタ時は、アンテナスイッチＢ１９のＳＷ７とＳＷ８がＯＮしているのでモニタ用外部端子８から入力したＣＤＭＡ方式の信号はＳＷ７を介して受信回路Ｂ１２へ供給される。送受信回路１１モニタ時は、アンテナスイッチＡ１８のＳＷ３とＳＷ４及びアンテナスイッチＢ１９のＳＷ５とＳＷ６がＯＮしているのでモニタ用外部端子８から入力したＣＤＭＡ方式の信号はＳＷ５及びＳＷ４を介して受信回路Ａ１６に供給されるとともに送信回路１７からの送信信号はＳＷ４及びＳＷ５を介してモニタ用外部端子８に供給される。ＧＰＳ受信回路１０モニタ時は、アンテナスイッチＡ１８のＳＷ１とＳＷ２及びアンテナスイッチＢ１９のＳＷ５とＳＷ６がＯＮしているのでモニタ用外部端子８から入力されたＧＰＳ信号はＳＷ５及びＳＷ２を介してＧＰＳ受信回路１０へ供給される。
【００３２】
以上説明したように、実施例１に示すスイッチ回路９の回路構成にすることで、８個のスイッチを８本の制御ラインではなく４本の制御ラインをＳＷ１、ＳＷ２とＳＷ３、ＳＷ４とが逆の関係となるようにしさらにＳＷ５、ＳＷ６とＳＷ７、ＳＷ８も逆の関係となるようにしているので実質２ｂｉｔで実現でき省スペースを図ることができる。さらに、８種類の動作モードを４種類のスイッチＯＮ／ＯＦＦの状態で実現でき制御手段の処理を軽くすることができる。この構成は、汎用のＤＰＤＴスイッチを２個使うことで実現することができるため、２ｂｉｔでの制御が可能で、省スペース・制御処理負荷低減が可能である。このように、アンテナＡ６、アンテナＢ７、モニタ用外部端子８とＧＰＳ受信回路１０、送受信回路１１、受信回路Ｂ１２とを動作モードに対応して最適に接続することができるようになる。また、音声通話時は受信回路Ｂ１２の電源をＯＦＦすることにより省電力を図ることができるようになる。
【実施例２】
【００３３】
本発明による第２の実施形態であるスイッチ回路９における切り換えスイッチの詳細及び動作モードに対する切り換え制御について図５、図６を用いて詳細に説明する。図５は本発明による第２の実施形態であるスイッチ回路９の切り替えスイッチの詳細回路図、図４は本発明による第２の実施形態である動作モードによる切り換えスイッチ制御の状態を示すスイッチ制御表の一実施例を示す。本実施例ではアンテナＢ７をＣＤＭＡ方式で使用する信号帯域に対応し小型化を図ったものとしている。切り換えは６個のスイッチを６本の制御ラインで制御し、接続有時と無時の共通化を図りスイッチＯＮ／ＯＦＦの状態としては３種類で実現可能としている。
【００３４】
まず、接続検出手段１４がコネクタの接続を検出していない通常の使用状態から説明する。音声、データ通信時は、ＳＷ１１とＳＷ１２とＳＷ１３がＯＮしているのでアンテナＡ６で受信されたＣＤＭＡ方式の信号はＳＷ１１を介して送受信回路１１へ供給されると同時に、アンテナＢ７で受信された信号はＳＷ１３を介して受信回路Ｂ１２へ供給される。ＧＰＳ衛星からのＧＰＳ受信（アンテナＡ）時は、ＳＷ１３とＳＷ１４とＳＷ１５がＯＮしているのでアンテナＡ６で受信されたＧＰＳ信号はＳＷ１４を介してＧＰＳ受信回路１０へ供給される。
【００３５】
次に、接続検出手段１４がコネクタの接続を検出している外部接続モードの状態を説明する。まず、外部アンテナを接続した時の送受信について説明する。ＣＤＭＡ方式によるデータの送受信または音声通話とした場合は、送受信回路モニタの動作モードとなり、ＳＷ１３とＳＷ１４とＳＷ１５がＯＮしているのでモニタ用外部端子８から入力したＣＤＭＡ方式の信号はＳＷ１５を介して受信回路Ａ１６に供給されるとともに送信回路１７からの信号はＳＷ１５を介してモニタ用外部端子８に供給されると同時に、アンテナＢ７から入力したＣＤＭＡ方式の信号はＳＷ１３を介して受信回路Ｂ１２に供給される。また、ＧＰＳ受信モードとした場合には、ＧＰＳ受信回路モニタの動作モードとなり、ＳＷ１１とＳＷ１２とＳＷ１３がＯＮしているのでモニタ用外部端子８から入力されたＧＰＳ信号はＳＷ１２を介してＧＰＳ受信回路１０へ供給される。
【００３６】
次に、内部回路である送・受信回路の評価時について説明する。ＧＰＳ受信回路１０モニタ時は、ＳＷ１１とＳＷ１２とＳＷ１３がＯＮしているのでモニタ用外部端子８から入力されたＧＰＳ信号はＳＷ１２を介してＧＰＳ受信回路１０へ供給される。送受信回路１１モニタ時は、ＳＷ１３とＳＷ１４とＳＷ１５がＯＮしているのでモニタ用外部端子８から入力したＣＤＭＡ方式の信号はＳＷ１５を介して受信回路Ａ１６に供給されるとともに送信回路１７からの信号はＳＷ１５を介してモニタ用外部端子８に供給される。受信回路Ｂ１２モニタ時は、ＳＷ１１とＳＷ１６がＯＮしているのでモニタ用外部端子８から入力したＣＤＭＡ方式の信号はＳＷ１６を介して受信回路Ｂ１２へ供給される。
【００３７】
上記したように実施例２に示すスイッチ回路９の回路構成にすることで、切り換えのスイッチを６個として省スペースを実現し、６種類の動作モードを３種類のスイッチＯＮ／ＯＦＦの状態で実現でき制御手段の処理を軽くすることができる。このように、アンテナＢ７の小型化とあわせて、接続を最適化し種類のスイッチＯＮ／ＯＦＦの状態で実現でき制御手段の処理を軽くすることができる。携帯電話の小型化、コストダウンを図ることができる。
【実施例３】
【００３８】
本発明による第３の実施形態であるデータ通信モードにおける省電力制御について図７を用いて説明する。図７は本発明における第３の実施形態であるデータ通信モードにおける省電力制御の処理の流れのフローチャートの一実施例を示す。所定の操作によりデータ通信モードとなると（ステップ７１）、電波の強度等の状態を監視し所定の値と比較して電波状況が良いかを判断する（ステップ７２）。電波状況が良い場合は、メインアンテナであるアンテナＡ６からの信号で希望する伝送レートが確保されると判断し電源制御手段１３により受信回路Ｂ１２の電源をＯＦＦし省電力を図る。ステップ７２で電波状況が悪い場合は希望する伝送レートがメインアンテナだけでは確保できないと判断し受信回路Ｂ１２の電源はＯＮとする（ステップ７４）。その後ステップ７５でデータ通信モードが終了したかを判断し終了している場合には本処理を終了する。データ通信モードが終了していない場合にはステップ７２戻り電波状況を監視し、受信回路Ｂ１２の電源制御を切り換えながら繰返す。このような処理により、データ通信モードにおいても電波状況がよく、高い伝送レートが確保できる場合には受信回路Ｂ１２の電源をＯＦＦすることにより省電力を図ることができる。
【００３９】
ここで、ステップ７２で判断基準となる所定の値は以下により決めている。ＣＤＭＡ  ２０００  １ｘＥＶ−ＤＯ方式では電波強度が高いと高い伝送レートが確保で、電波強度が低くなるとそれにつれて伝送レートも低くなる。このため、電波強度が低い場合にはサブアンテナからの受信信号を利用してメインアンテナからの信号と合成して伝送レートを増大することを行なうようになっている。メインアンテナの電波強度と伝送レートは相関があるため、ユーザが希望する伝送レートを確保するために必要な電波強度を決め、その値をステップ７２の判断基準となる所定の値としている。尚、希望する伝送レートはユーザが操作釦３により設定できるようにしても構わない。さらに、送受信したいデータのデータ量を基に算出するようにしても構わない。
【００４０】
また、本実施例ではステップ７２の判断基準は電波状況としたが他の判断基準でも構わない。例えば、バッテリの残量を判断基準にして残量が少ない時には受信回路Ｂ１２の電源をＯＦＦするようにしてもよい。これにより、バッテリ残量が少ないときには消費電力を少なくし、動作時間を長くすることができる。
【００４１】
また、ユーザ操作により受信回路ＢのＯＮ／ＯＦＦを設定できるようにしても構わない。これにより、データ通信を余り使用しないユーザは常に受信回路Ｂ１２をＯＦＦさせておくことができるので、省電力により使用時間を長くすることができる。
【図面の簡単な説明】
【００４２】
【図１】実施例によるＣＤＭＡ方式携帯電話の外観図。
【図２】実施例による携帯電話の受信ブロックの構成図。
【図３】本発明による第１の実施形態であるスイッチ回路９における切り替えスイッチの詳細回路図。
【図４】本発明による第１の実施形態である動作モードによる切り換えスイッチ制御の状態を示すスイッチ制御表。
【図５】本発明による第２の実施形態であるスイッチ回路９における切り替えスイッチの詳細回路図。
【図６】本発明による第２の実施形態である動作モードによる切り換えスイッチ制御の状態を示すスイッチ制御表。
【図７】本発明における第３の実施形態であるデータ通信モードにおける省電力制御の処理の流れのフローチャート
【符号の説明】
【００４３】
１…表示部、２…表示部のある筐体、３…操作釦、４…操作釦のある筐体、
５…ヒンジ部、６…アンテナＡ（メイン）、７…アンテナＢ（サブ）、
８…モニタ用外部端子、９…スイッチ回路、１０…ＧＰＳ受信回路、１１…送受信回路、１２…受信回路Ｂ、１３…電源制御手段、１４…接続検出手段、１５…分波器、
１６…受信回路Ａ，１７…送信回路、１８…アンテナスイッチＡ、
１９…アンテナスイッチＢ
【図１】
2007089226.tif 000003
【図２】
2007089226.tif 000004
【図３】
2007089226.tif 000005
【図４】
2007089226.tif 000006
【図５】
2007089226.tif 000007
【図６】
2007089226.tif 000008
【図７】
2007089226.tif 000009
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
バッテリを備えた携帯端末であって、
無線通信を行なう第１のアンテナと、
前記第１のアンテナと異なる第２のアンテナと、
前記第１のアンテナを介して基地局との間で信号の通信を行なう送受信回路と、
前記第１のアンテナまたは前記第２のアンテナを介してＧＰＳ衛星からの信号を受信するＧＰＳ受信回路と、
前記第２のアンテナを介して基地局からの信号を受信するダイバシティ用の受信回路と、
前記受信回路の電源をＯＦＦするための電源制御手段と、
基地局との間で信号の通信を行う通信モードの場合に前記第１のアンテナと前記送受信回路とを接続するとともに前記第２のアンテナと前記受信回路とを接続し、ＧＰＳ衛星からの信号を受信するＧＰＳ受信モードの場合は前記第１のアンテナあるいは前記第２のアンテナと前記ＧＰＳ受信回路とを接続するように切り換えるスイッチ手段と、を備え、
前記バッテリの残量が少ない時に、前記通信モードの場合であっても、前記電源制御手段により前記受信回路の電源をＯＦＦすることを特徴とする携帯端末。
【請求項２】
前記携帯端末のユーザにより受信回路の電源をＯＦＦするか否かの設定が可能な操作部を備え、
前記操作部を用いてユーザが受信回路のＯＦＦを設定した場合、前記通信モードの場合であっても、前記バッテリ残量にかかわらず、前記電源制御手段により前記受信回路の電源をＯＦＦすることを特徴とする請求項１に記載の携帯端末。
【請求項３】
無線通信を行なう第１のアンテナと、
前記第１のアンテナと異なる第２のアンテナと、
前記第１のアンテナを介して基地局との間で信号の通信を行なう送受信回路と、
前記第１のアンテナまたは前記第２のアンテナを介してＧＰＳ衛星からの信号を受信するＧＰＳ受信回路と、
前記第２のアンテナを介して基地局からの信号を受信するダイバシティ用の受信回路と、
基地局との間で信号の通信を行う通信モードの場合に前記第１のアンテナと前記送受信回路とを接続するとともに前記第２のアンテナと前記受信回路とを接続し、ＧＰＳ衛星からの信号を受信するＧＰＳ受信モードの場合は前記第１のアンテナあるいは前記第２のアンテナと前記ＧＰＳ受信回路とを接続するように切り換えるスイッチ手段と、を備え、
前記スイッチ手段は、複数のスイッチを備えていることを特徴とする携帯端末。